(57)【要約】【課題】  携帯電話機に装着されたメモリ・カード内の画像データを反射波通信によりテレビ受像機などの外部機器に好適に伝送する。【解決手段】  カメラ付き携帯電話機で撮像した画像はメモリ・カードに蓄積される。ユーザは画像を閲覧して伝送すべき画像を選択すると、携帯電話機に標準装備されている赤外線通信機能を用いて、選択した画像のファイル名を外部機器へ転送する。外部機器では、受信した赤外線コマンドからファイル名を取り出すと、メモリ・カードに搭載された無線通信機能に対し読み出し要求することで、選択された画像を取得することができる。【選択図】  図１
2007052559.tif 000002
【特許請求の範囲】
【請求項１】
メモリ・カードと、
前記メモリ・カードを受容するホスト機器と、
外部機器と、
前記メモリ・カードと前記ホスト機器間で有線通信を行なう有線通信手段と、
前記メモリ・カードと前記外部機器間で無線データ伝送を行なう無線通信手段と、
前記ホスト機器と前記外部機器間で赤外線通信を行なう赤外線通信手段を備え、
前記ホスト機器は、前記メモリ・カードに格納されている所望のファイル名を前記有線通信手段経由で取得して、該ファイル名を前記赤外線通信手段経由で前記外部機器に伝達し、
前記外部機器は前記赤外線通信手段経由で受け取ったファイル名に該当するファイルを前記無線通信手段経由で前記メモリ・カードから読み出す、
ことを特徴とする無線データ伝送システム。
【請求項２】
前記無線通信手段は、前記メモリ・カードに搭載された反射器と、前記外部機器に搭載された反射波読取器で構成され、前記反射波読取器から電波を送信し、前記反射器が受信電波の反射波に対して前記メモリ・カードから読み出した伝送データに従って変調処理を施した反射波信号を送信し、前記反射波読取器が前記反射器からの反射波信号からデータを読み取る、
ことを特徴とする無線データ伝送システム。
【請求項３】
無線データ伝送を行なう無線通信手段と、
赤外線通信を行なう赤外線通信手段と、
前記赤外線通信手段経由で伝達された内容に従って前記無線通信手段によるデータ読取動作を制御する通信制御手段と、
前記無線通信手段経由で受信したデータを処理するデータ処理手段と、
を具備することを特徴とする情報処理装置。
【請求項４】
前記赤外線通信手段は、メモリ・カードに格納されている所望のファイル名を、該メモリ・カードを受容するホスト機器から赤外線通信により取得し、
前記通信制御手段は、該ファイル名に該当するファイルを前記メモリ・カードから読み出すよう、前記無線通信手段を動作させる、
ことを特徴とする請求項３に記載の情報処理装置。
【請求項５】
前記無線通信手段は、
無変調キャリアを送信する手段と、
前記メモリ・カードに搭載された反射器から送出される、前記メモリ・カードから読み出した伝送データに従って変調処理が施された反射波信号を読み取る手段を備える、
ことを特徴とする請求項４に記載の情報処理装置。
【請求項６】
前記データ処理手段は、前記無線通信手段経由で受信した画像データを画像出力する、
ことを特徴とする請求項３に記載の情報処理装置。
【請求項７】
赤外線通信手段と無線通信手段を備えた情報処理機器上でデータの取得動作を行なう情報処理方法であって、
赤外線通信を行なう赤外線通信ステップと、
前記赤外線通信ステップにおいて伝達された内容に従って無線データ伝送を行なう無線通信ステップと、
前記無線通信ステップにおいて受信したデータを処理するデータ処理ステップと、
を具備することを特徴とする情報処理方法。
【請求項８】
前記赤外線通信ステップでは、メモリ・カードに格納されている所望のファイル名を、該メモリ・カードを受容するホスト機器から赤外線通信により取得し、
前記通信制御ステップでは、該ファイル名に該当するファイルを前記メモリ・カードから読み出す、
ことを特徴とする請求項７に記載の情報処理方法。
【請求項９】
前記無線通信ステップは、
無変調キャリアを送信するステップと、
前記メモリ・カードに搭載された反射器から送出される、前記メモリ・カードから読み出した伝送データに従って変調処理が施された反射波信号を読み取るステップを備える、
ことを特徴とする請求項８に記載の情報処理方法。
【請求項１０】
前記データ処理ステップでは、前記無線通信ステップにおいて受信した画像データを画像出力する、
ことを特徴とする請求項７に記載の情報処理方法。
【請求項１１】
赤外線通信手段と無線通信手段を利用してデータの取得動作を行なうための処理をコンピュータ・システム上で実行するようにコンピュータ可読形式で記述されたコンピュータ・プログラムであって、前記コンピュータ・システムに対し、
メモリ・カードに格納されている所望のファイル名を、該メモリ・カードを受容するホスト機器から赤外線通信により取得する赤外線通信手順と、
前記赤外線通信手順により伝達されたファイル名に該当するファイルを無線データ伝送により前記メモリ・カードから読み出す無線通信手順と、
前記無線通信手順により受信したデータを処理するデータ処理手順と、
を実行させることを特徴とするコンピュータ・プログラム。
【発明の詳細な説明】
【技術分野】
【０００１】
本発明は、無線通信により情報機器間でデータ伝送を行なう無線データ伝送システム、情報処理装置及び情報処理方法、並びにコンピュータ・プログラムに係り、特に、反射波読取器から電波を送信し、反射器側で受信電波に対する反射波に伝送データに従った変調処理を施して信号をバックスキャッタ送信する反射波通信により情報機器間でデータ伝送を行なう無線データ伝送システム、情報処理装置及び情報処理方法、並びにコンピュータ・プログラムに関する。
【０００２】
さらに詳しくは、本発明は、デジタル・カメラや携帯電話機などのホスト機器に装着されたメモリ・カード内のデータを反射波通信によりテレビ受像機などの外部機器に伝送する無線データ伝送システム、情報処理装置及び情報処理方法、並びにコンピュータ・プログラムに係り、特に、メモリ・カードに蓄積されているデータの中から所望のものを選択して外部機器に伝送する無線データ伝送システム、情報処理装置及び情報処理方法、並びにコンピュータ・プログラムに関する。
【背景技術】
【０００３】
デジタル・カメラ（カメラ付き携帯電話などを含む）を始めとして多くの情報機器は、機器内蔵メモリに蓄えきれない画像やその他のデータを蓄積するために、メモリ・カードやＵＳＢメモリといったカートリッジ式のメモリ装置を着脱自在に装着している。ここで言うメモリ・カードには、「ＭＥＭＯＲＹＳＴＩＣＫ（登録商標）」や「ＳＤ（Ｓｅｃｕｒｅ  Ｄｉｇｉｔａｌ）カード」など複数の規格があるが、以下では、着脱式のメモリ装置のことを総じて「メモリ・カード」と呼ぶことにする。
【０００４】
また、メモリ・カードに記録した画像ファイルをパーソナル・コンピュータなどの他の情報機器に移動して、画像処理や画像管理、大画面表示、プリントアウトなどを行なうことができる。メモリ・カード上のデータを移動する方法として、メモリ・カードを抜き取って移動先の機器に装着する、あるいは、メモリ・カードを装着中のデジタル・カメラと移動先の外部機器間をＵＳＢなどの汎用ケーブルで相互接続してデータ通信を行なうのがこれまで一般的であった。
【０００５】
これに対し、無線インターフェースを利用してメモリ・カード上のデータを転送することができれば、データ伝送の度にコネクタの付け替え作業をしてケーブルを引き回す必要がなく、利便性が高い。例えば、無線通信機能を内蔵した外部メモリ・メディアについて提案がなされている（例えば、特許文献１を参照のこと）。デジタル・カメラなどのホスト機器は、このような外部メモリ・メディアを装着し、このメモリ・メディア内の無線通信手段を駆動して通信網との間でデータの送受信を行なうことができる。
【０００６】
情報端末間の無線データ通信方式として、例えばＩＥＥＥ８０２．１１などの無線ＬＡＮや、Ｂｌｕｅｔｏｏｔｈ通信が広く知られている。しかしながら、無線ＬＡＮは、本来コンピュータでの利用を前提として設計・開発されたものであり、メモリ・カード用の無線通信モジュールとして利用した場合、メモリ・カードを装着して駆動電力を供給するモバイル系機器にとって消費電力が問題となる。現在市販されているＩＥＥＥ８０２．１１ｂの無線ＬＡＮカードの多くは、送信時に８００ｍＷ以上、受信時に６００ｍＷ以上の消費電力があり、バッテリへの負担が大きい。また、Ｂｌｕｅｔｏｏｔｈ通信は、伝送速度が最大でも７２０ｋｂｐｓと低速度であり、高画質化した画像伝送には時間がかかり不便である。
【０００７】
これに対し、反射波通信を利用した無線データ通信方式では、低消費電力化と小型サイズ化を実現することができる。反射波伝送システムは、変調処理を施した反射波によりデータを送信する反射器と、反射器からの反射波からデータを読み取る反射波読取装置で構成され、反射波読取装置が無変調キャリアを送信し、反射器側では例えばアンテナ終端の負荷インピーダンス操作により無変調キャリアの反射波に対し伝送データに応じた変調処理を施して、データを送出することができる（例えば、特許文献２を参照のこと）。
【０００８】
反射波伝送システムでは、アンテナの負荷インピーダンスを変化させるためのアンテナ・スイッチは一般的にガリウム砒素のＩＣで構成され、その消費電力は数１０μＷ以下であることから、データ伝送時の平均電力は、送達確認方式の場合で１０ｍＷ以下、一方向伝送では、数１０μＷでデータ伝送が可能である。これは、一般的な無線ＬＡＮの平均消費電力と比較すると、圧倒的な性能差である（例えば、特許文献３を参照のこと）。
【０００９】
また、反射波信号を送出する通信動作は、反射波読取器を備える外部機器側からの制御下で実現することができ、メモリ・カードを装着するホスト機器の制御が介在しない。すなわち、ホスト機器側では、通信プロトコルのバージョン変更などに伴うデバイス・ドライバのインストールやアップデートといった問題から完全に解放される。また、無線モジュール面積は、無線ＬＡＮに比べると極端に小さい。
【００１０】
ところで、メモリ・カードに多数の画像ファイルが格納されている場合、いずれのファイルを外部機器に転送すべきかを指定する必要がある。
【００１１】
伝送データを格納するメモリ・カードは、データ伝送用の無線通信手段を備えていても、伝送すべきデータを指定するユーザ・インターフェースを備えていない。すなわち、メモリ・カード自体に対して画像データの選択操作を直接行なうことはできない。
【００１２】
一方、メモリ・カードを装着するデジタル・カメラやカメラ付き携帯電話機は、ユーザ・インターフェースを備えている。しかしながら、無線通信インターフェースに反射波通信方式を適用した場合には、その通信動作はホスト機器の制御外に置かれるため（前述）、デジタル・カメラから画像を閲覧することはできても、伝送する画像として指定することはできない。
【００１３】
このため、画像ファイルのリストや、画像のサムネイルの一覧など、メモリ・カードに格納されている画像に関する情報を、一旦メモリ・カードから外部機器に読み出し、外部機器側で一覧を表示してユーザが所望の画像を選択した後に、当該選択した画像をメモリ・カードから反射波伝送により取得する、といった手間のかかる作業を行なう必要がある。
【００１４】
【特許文献１】特開２００１−７７８７８号公報
【特許文献２】特開平０１−１８２７８２号公報
【特許文献３】特開２００５−６４８２２号公報
【発明の開示】
【発明が解決しようとする課題】
【００１５】
本発明の目的は、反射波通信などの無線通信により情報機器間でデータ伝送を好適に行なうことができる、優れた無線データ伝送システム、情報処理装置及び情報処理方法、並びにコンピュータ・プログラムを提供することにある。
【００１６】
本発明のさらなる目的は、デジタル・カメラや携帯電話機などのホスト機器に装着されたメモリ・カード内のデータを反射波通信によりテレビ受像機などの外部機器に好適に伝送することができる、優れた無線データ伝送システム、情報処理装置及び情報処理方法、並びにコンピュータ・プログラムを提供することにある。
【００１７】
本発明のさらなる目的は、メモリ・カードに蓄積されているデータの中から所望のものを効率的に選択して、メモリ・カードから外部機器へデータ伝送することができる、優れた無線データ伝送システム、情報処理装置及び情報処理方法、並びにコンピュータ・プログラムを提供することにある。
【課題を解決するための手段】
【００１８】
本発明は、上記課題を参酌してなされたものであり、その第１の側面は、
メモリ・カードと、
前記メモリ・カードを受容するホスト機器と、
外部機器と、
前記メモリ・カードと前記ホスト機器間で有線通信を行なう有線通信手段と、
前記メモリ・カードと前記外部機器間で無線データ伝送を行なう無線通信手段と、
前記ホスト機器と前記外部機器間で赤外線通信を行なう赤外線通信手段を備え、
前記ホスト機器は、前記メモリ・カードに格納されている所望のファイル名を前記有線通信手段経由で取得して、該ファイル名を前記赤外線通信手段経由で前記外部機器に伝達し、
前記外部機器は前記赤外線通信手段経由で受け取ったファイル名に該当するファイルを前記無線通信手段経由で前記メモリ・カードから読み出す、
ことを特徴とする無線データ伝送システムである。
【００１９】
但し、ここで言う「システム」とは、複数の装置（又は特定の機能を実現する機能モジュール）が論理的に集合した物のことを言い、各装置や機能モジュールが単一の筐体内にあるか否かは特に問わない（以下、同様）。
【００２０】
本発明は、情報機器間で無線データ通信を行なう無線データ伝送システムに関するが、とりわけ、デジタル・カメラやカメラ付き携帯電話で撮られた画像データをメモリ・カードに蓄積し、さらにメモリ・カードから読み出した画像データを表示装置やプリンタなどの外部機器に伝送する無線データ伝送システムに関する。システムの無線通信手段として反射波通信を適用することで、データ伝送時の低消費電力化を図ることができるとともに、無線通信モジュールの小型化、低コスト化を実現することができる。
【００２１】
ここで、メモリ・カードに多数の画像ファイルが格納されている場合、いずれのファイルを外部機器に転送すべきかを指定する必要がある。ホスト機器としてのデジタル・カメラや携帯電話機は、有線インターフェース経由で装着中のメモリ・カードに通常のアクセス動作を行ない、画像を閲覧することができる。しかしながら、ホスト機器の制御外で通信動作を行なう無線通信機能をメモリ・カードに搭載している場合、無線データ伝送すべき画像をホスト機器側で直接指定することはできない。
【００２２】
そこで、本発明に係る無線データ伝送システムでは、伝送するデータのファイル名をホスト機器から外部機器へ赤外線通信により通知した後、今度は外部機器がメモリ・カードから選択したファイルを反射波通信により読み取るようにしている。
【００２３】
デジタル・カメラやカメラ付き携帯電話機といったホスト機器上では、撮像した画像はメモリ・カードに蓄積されており、通常の有線インターフェース経由で読み出して画面表示することができる。ユーザは、表示されている画像を閲覧して、伝送すべき画像を選択することができる。多くの携帯電話機では、赤外線通信機能が標準的に装備されているので、ユーザが選択した画像のファイル名を赤外線通信により外部機器へ転送することができる。そして、外部機器では、受信した赤外線コマンドからファイル名を取り出すと、メモリ・カードに搭載された無線通信機能に対して読み出し要求することで、選択された画像を取得することができる。
【００２４】
本発明によれば、ユーザは、携帯電話を操作するだけで、目的の画像をテレビなどの画像出力装置に簡単に転送することができる。サイズの小さい画像は、携帯電話から画像出力装置側に直接送ることも可能であり、ユーザからは同一の方法で画像伝送を行なうことが可能である。
【００２５】
なお、ホスト機器と外部機器間では赤外線データ通信が可能であるが、その転送レートは低く（１１５．２Ｋｂｐｓ）、ファイル名などの文字情報の通信には十分であるものの、画像データの高速伝送に適用するには非現実的であることを理解されたい。
【００２６】
また、本発明の第２の側面は、本発明の第１の側面に係る無線データ伝送システムにおいて外部機器として動作することができる情報処理装置であって、
無線データ伝送を行なう無線通信手段と、
赤外線通信を行なう赤外線通信手段と、
前記赤外線通信手段経由で伝達された内容に従って前記無線通信手段によるデータ読取動作を制御する通信制御手段と、
前記無線通信手段経由で受信したデータを処理するデータ処理手段と、
を具備することを特徴とする情報処理装置である。
【００２７】
ここで、前記無線通信手段は、無変調キャリアを送信する手段と、前記メモリ・カードに搭載された反射器から送出される、前記メモリ・カードから読み出した伝送データに従って変調処理が施された反射波信号を読み取る手段を備え、反射波伝送により前記メモリ・カードからデータを取得することができる。
【００２８】
この情報処理装置では、前記赤外線通信手段が、メモリ・カードに格納されている所望のファイル名を、該メモリ・カードを受容するホスト機器から赤外線通信により取得する。そして、前記通信制御手段は、該ファイル名に該当するファイルを前記メモリ・カードから読み出すよう、前記無線通信手段を動作させる。前記データ処理手段は、例えば、前記無線通信手段経由で受信した画像データを画像出力するための復号化や信号変換などの処理を行なう。
【００２９】
また、本発明の第３の側面は、赤外線通信手段と無線通信手段を利用してデータの取得動作を行なうための処理をコンピュータ・システム上で実行するようにコンピュータ可読形式で記述されたコンピュータ・プログラムであって、前記コンピュータ・システムに対し、
メモリ・カードに格納されている所望のファイル名を、該メモリ・カードを受容するホスト機器から赤外線通信により取得する赤外線通信手順と、
前記赤外線通信手順により伝達されたファイル名に該当するファイルを無線データ伝送により前記メモリ・カードから読み出す無線通信手順と、
前記無線通信手順により受信したデータを処理するデータ処理手順と、
を実行させることを特徴とするコンピュータ・プログラムである。
【００３０】
本発明の第３の側面に係るコンピュータ・プログラムは、コンピュータ・システム上で所定の処理を実現するようにコンピュータ可読形式で記述されたコンピュータ・プログラムを定義したものである。換言すれば、本発明の第３の側面に係るコンピュータ・プログラムをコンピュータ・システムにインストールすることによって、コンピュータ・システム上では協働的作用が発揮され、本発明の第１の側面に係る無線データ伝送システムにおいて外部機器として動作することができる。
【発明の効果】
【００３１】
本発明によれば、デジタル・カメラや携帯電話機などのホスト機器に装着されたメモリ・カード内のデータを反射波通信によりテレビ受像機などの外部機器に好適に伝送することができる、優れた無線データ伝送システム、情報処理装置及び情報処理方法、並びにコンピュータ・プログラムを提供することができる。
【００３２】
また、本発明によれば、メモリ・カードに蓄積されているデータの中から所望のものを効率的に選択して、メモリ・カードから外部機器へデータ伝送することができる、優れた無線データ伝送システム、情報処理装置及び情報処理方法、並びにコンピュータ・プログラムを提供することができる。
【００３３】
本発明のさらに他の目的、特徴や利点は、後述する本発明の実施形態や添付する図面に基づくより詳細な説明によって明らかになるであろう。
【発明を実施するための最良の形態】
【００３４】
以下、図面を参照しながら本発明の実施形態について詳解する。
【００３５】
図１には、本発明の一実施形態に係る無線伝送システムの構成を模式的に示している。本システムは、カメラ付き携帯電話機などのホスト機器１００と、ホスト機器１００に収容される無線通信機能付きメモリ・メディア１０１と、メモリ・メディア１０１から読み出した画像データを表示出力するテレビやプリントアウトするプリンタなどの外部機器１０３で構成される。
【００３６】
メモリ・メディア１０１が搭載する無線通信機能は反射波伝送システムにおける反射器に相当し、これに対し、無線通信の相手となる外部機器１０３側には反射器からバックスキャッタ送信される反射波信号を読み取る反射波読取器を備えている。また、ホスト機器１００としての携帯電話機は標準的に赤外線通信部１０６を備えている。本実施形態では、外部機器１０３側も赤外線通信部１０５を搭載しているので、ホスト機器１００と外部機器１０３では赤外線データ通信を行なうことができる。
【００３７】
無線通信機能付きメモリ・メディア１０１は、携帯電話機１００に配設されているメモリ・スロットに収容され、有線通信インターフェース（図示しない）経由で携帯電話機１００本体に接続されている。無線通信機能付きメモリ・メディア１０１と携帯電話機１００との有線通信インターフェースは、例えば、ＭＥＭＯＲＹＳＴＩＣＫ（登録商標）や、ＰＣカード、ＵＳＢなどいずれかの標準的なインターフェース仕様に準拠するものとする。
【００３８】
図２には、無線通信機能付きメモリ・メディア１０１の内部構成を示している。同図に示すように、無線通信機能付きメモリ・メディア１０１は、アンテナ１１１と、無線部１１５と、フラッシュ・メモリ１１４と、メモリ／通信制御部１１３と、コネクタ部１１２で構成される。
【００３９】
フラッシュ・メモリ１１４は、電気的に消去書き換えが可能な不揮発性の半導体メモリ装置であり、例えばＥＰＲＯＭやＥＥＰＲＯＭなどのメモリ・チップで構成され、無線通信機能付きメモリ・メディア１１０におけるメモリ空間の実体である。フラッシュ・メモリ１１に対するアクセス動作は、メモリ／通信制御部１１３によって制御される。
【００４０】
無線通信機能付きメモリ・メディア１０１は、コネクタ部１１２経由で携帯電話機１００に有線接続されている。ホスト機器としての携帯電話機１００は、コネクタ部１１２経由でメモリ／通信制御部１１３に対してフラッシュ・メモリ１１４へのアクセス要求を行ない、撮像画像のフラッシュ・メモリ１１４への書き込みや、フラッシュ・メモリ１１４に格納した画像などのデータの読み出しを行なう。
【００４１】
また、本実施形態に係るメモリ・メディア１０１はアンテナ１１１と無線部１１５からなる無線通信機能を備えているので、メモリ／通信制御部１１３はフラッシュ・メモリ１１４へのメモリ・アクセスに加え、無線部１１５における無線通信動作の制御も行なう。
【００４２】
無線部１１５は、メモリ／通信制御部１１３による制御下で無線通信動作を行なうとともに、メモリ／通信制御部１１３によるメモリ・アクセス制御の介在により撮像画像をフラッシュ・メモリ１１４から読み出すことができる。したがって、テレビなどの外部機器１０３は、アンテナ１１１及び無線部１１５を経由して、メモリ／通信制御部１１３にアクセス要求を行ない、無線通信を利用してフラッシュ・メモリ１１４にアクセスすることができる。
【００４３】
無線部１１５は、送信部１１６と受信部１１７で構成され、例えばＩＳＭ（Ｉｎｄｕｓｔｒｉａｌ，Ｓｃｉｅｎｔｉｆｉｃ ａｎｄ Ｍｅｄｉｃａｌ（産業科学医療）バンド）と呼ばれる２．４ＧＨｚ帯を利用した無線伝送を行なう。送信部１１６では、送信データを符号化、変調処理を施した後、アナログ信号に変換して無線信号にアップコンバートしてアンテナ１１１から無線伝送路に送出する。また、受信部１１７では、アンテナ１１１で受信した無線信号をダウンコンバータ並びにデジタル信号への変換を行ない、さらに復号化・復調処理して受信データの解析を行なう。
【００４４】
無線部１１５においてＢｌｕｅｔｏｏｔｈ通信やＩＥＥＥ８０２．１１といった通信プロトコルを適用する場合、メモリ・メディア１１０を装着するデジタル・カメラ１０１などのホスト機器側にプロトコル動作を実現するためのドライバ・ソフトウェアを情報機器にインストールする必要があり、面倒である。これに対し、本実施形態では、メモリ／通信制御部１１３は、無線部１１５による無線通信動作を通じて行なわれるフラッシュ・メモリ１１４へのアクセス動作を、メモリ・メディア１１０を装填したデジタル・カメラ１０１とは独立し（すなわちホスト機器としてのデジタル・カメラ１０１による制御の外で）、無線接続される無線読取装置１０２による制御動作により行なう。したがって、デジタル・カメラ１０１側で通信制御用のデバイス・ドライバを実装しなくとも、フラッシュ・メモリ１１４から読み出されたデータをメモリ・メディア１１０と無線読取装置１０２間で無線伝送することができる。
【００４５】
例えば無線部１１５において反射波伝送方式を適用して無線データ送信する場合、無線読取装置１０２から送出される電波（無変調キャリア）を受信部１１７で受信し、送信部１１６では受信電波に対する反射波に伝送データに基づいて変調処理した反射波信号を送信する。メモリ／通信制御部１１３は、フラッシュ・メモリ１１４から読み出したデータを反射波に乗せて搬送すればよく、かかる通信動作はホスト機器の介在なしに実現することができる。
【００４６】
また、無線通信機能付きメモリ・メディア１０１は、コネクタ部１１２経由でデジタル・カメラ１０１から駆動電力が供給されており、この供給電力を用いてメモリ／通信制御部１１３によるフラッシュ・メモリ１１４へのアクセス動作や無線部１１５による無線通信動作を駆動することができる。
【００４７】
図３には、携帯電話機１００の内部構成を示している。同図に示すように、携帯電話機１００は、アプリケーション・プロセッサ３００と、バス３０１と、無線通信部３０２及びそのアンテナ３０３と、メモリ・カード・インターフェース３０４と、表示部１０２及び操作部１０７を備えている。カメラ部３０５と赤外線通信部１０６は、携帯電話機としての一般的な構成要素である。
【００４８】
アプリケーション・プロセッサ３００は、例えばＣＰＵ（Ｃｅｎｔｒａｌ  Ｐｒｏｃｅｓｓｉｎｇ  Ｕｎｉｔ）とメモリで構成され、所定のプログラム・コードをメモリ空間上に展開して実行することで、当該機器１００における動作を統括的にコントロールする。ここでは、アプリケーション・プロセッサ３００は、無線通信などの下位レイヤの制御ではなく、上位アプリケーションの制御に用いられるものとする。アプリケーション・プロセッサ３００は、バス３０１を介して各部と相互接続されている。
【００４９】
メモリ・カード・インターフェース３０４は、無線通信機能付きメモリ・メディア１０１を着脱自在に収容して、例えば撮像した画像データを無線通信機能付きメモリ・メディア１０１に保存する。携帯電話機１００は、メモリ・カード・インターフェース３０４経由で、無線通信機能付きメモリ・メディア１０１内のメモリ／通信制御部１１３に対してフラッシュ・メモリ１１４へのアクセス要求を行ない、撮像画像のフラッシュ・メモリ１１４への書き込みや、フラッシュ・メモリ１１４に格納した画像などのデータの読み出しを行なうことができる。また、フラッシュ・メモリ１１４から読み出されたデータは、バス３０１経由で赤外線通信部１０６に転送し、赤外線データとして外部出力することが可能である。
【００５０】
無線通信部３０２及びそのアンテナ３０３は、ＰＤＣなどの携帯電話システムに従って回線交換型のデータ通信を行なう、携帯電話機本来の無線通信機能を実現するための機能モジュールである。但し、携帯電話による通信機能自体は本発明の要旨に直接関連しないので、ここではこれ以上説明しない。
【００５１】
表示部１０２及び操作部１０７は、携帯電話機１００など情報端末としてのユーザ・インターフェース機能を実現する。操作部１０７は複数の操作ボタンを備え、電話番号の入力など電話機に対する操作や、メモリ・メディア１０１へのアクセスなど情報端末としての操作コマンドの入力を行なうことができる。また、表示部１０２は、待ち受け画面を表示する他、カメラ部３０５による撮影画像やメモリ・メディア１０１から読み出した画像やその他のデータを表示することができる。
【００５２】
図４には、図２に示した無線通信機能付きメモリ・メディア１０１から無線通信によりデータを受信する外部機器１０３の構成を示している。図示の例では、外部機器１０３は、メモリ・メディア１０１から取得したＪＰＥＧ若しくはＭＰＥＧなどの画像データを画面に表示出力するテレビなどの画像出力装置として構成されている。
【００５３】
外部機器１０３は、無線通信機能付きメモリ・メディア１０１への制御信号の送信と、無線通信機能付きメモリ・メディア１０１から伝送されてきた信号の受信及び復調を行なう。また、受信データがＪＰＥＧやＭＰＥＧなどの画像データである場合には、そのデコード処理が必要になる。このため、外部機器１０３は、２．４ＧＨｚ帯のアンテナ１０４と、送受信動作に応じてアンテナ１０４を択一的に接続するアンテナ・スイッチ若しくはその代替となるサーキュレータ４０１と、受信部４０２と、送信部４０３と、ベースバンド制御部４０４、ＪＰＥＧデコーダ４０５と、デコード後のＪＰＥＧ画像を画面出力する表示部４０７を備えている。
【００５４】
また、外部機器１０３は、携帯電話機１００と赤外線通信を行なうための赤外線通信部４０６を備えており、赤外線制御信号を受信し、ベースバンド制御部４０４に指示を与える。例えば、ユーザは、赤外線通信を利用して、携帯電話機１００から外部機器１０３に対し、デジタル・カメラ１０１内の無線通信機能付きメモリ・メディア１１０から画像データの読み取るべき画像のファイル名を指示したり、取得した画像の表示出力を指示したりすることができる。
【００５５】
外部機器１０３から制御信号を送信するためには、ベースバンド制御部４０４から送信部４０３に対してＱＰＳＫなどの１次変調されたベースバンド信号を与える。送信部４０３では、この変調信号を２．４ＧＨｚ帯にアップコンバート並びに増幅し、サーキュレータ４０１経由でアンテナ１０４より送出する。
【００５６】
一方、上述した無線通信機能付きメモリ・メディア１０１では、メモリ／通信制御部１１３では、送信データをフラッシュ・メモリ１１４から読み取ってＱＰＳＫ変調のベースバンド信号に変換する。そして、送信部１１６で２．４ＧＨｚ帯に変換し、アンテナ１１１から送信する。
【００５７】
外部機器１０３側では、この変調信号をアンテナ・アンテナ１０４で受信し、サーキュレータ４０１を経由し、受信部４０２で受信され、ベースバンド制御部４０４で元のデータに復調される。
【００５８】
ベースバンド制御部４０４で復調されたデータは、ＪＰＥＧデコーダ部４０５で、ＪＰＥＧデータからアナログＡＶ信号（例えばＮＴＳＣ信号）に変換され、接続された表示部４０７でその画像を見ることが可能となる。
【００５９】
無線通信機能付きメモリ・メディア１０１と外部機器１０３間でデータ伝送を行なう無線通信インターフェースとして、例えばＩＥＥＥ８０２．１１などの無線ＬＡＮやＢｌｕｅｔｏｏｔｈ通信などの周知の無線通信インターフェースを利用することもできるが、本実施形態では反射波伝送方式を適用する。
【００６０】
反射波伝送システムは、変調処理を施した反射波によりデータを送信する反射器と、反射器からの反射波からデータを読み取る反射波読取器で構成される。この場合、無線通信機能付きメモリ・メディア１０１内の無線部が反射器に相当し、外部機器１０３におけるアンテナ１０４、サーキュレータ４０１、受信部４０２、送信部４０３、並びにベースバンド制御部４０４からなる通信モジュールは反射波読取器に相当する。
【００６１】
図５には、反射器として構成される、無線通信機能付きメモリ・メディア１１０側の無線部１１５の構成を示している。図示の無線部１１５は、アンテナ１１１と、アンテナ・スイッチ５１０と、アンテナ負荷５１１と、バンド・パス・フィルタ５１２と、ＡＳＫ検波部５１３とで構成される。本実施形態では、無線電波の周波数としてＩＳＭと呼ばれる２．４ＧＨｚ帯を用いる。
【００６２】
メモリ／通信制御部１１３によってフラッシュ・メモリ１１４から読み出された画像データを受け取ると、データのビット・イメージに従ってアンテナ１１１に接続されたアンテナ・スイッチ５１０のオン／オフ動作を行なう。例えば、データが１のときはアンテナ・スイッチ５１０をオンに、データが０のときオフとする。
【００６３】
図示の通り、アンテナ・スイッチ５１０がオンのときは、アンテナ１１１は５０Ωのアンテナ負荷５１１で終端され、オフのときは、アンテナ１１１はオープンとなる。この動作は、転送先としての外部機器１０３（反射波読取器）から到来する電波（無変調キャリア）に対して、オンのときは終端、オフのときは反射の振る舞いをする。すなわち、画像データは、基本的に、アンテナ・スイッチ４１０のオン／オフ操作に伴うアンテナ負荷インピーダンスの変動によって生じる転送先からの電波の反射波としてバックスキャッタ送信される。無線部１１５からの反射波信号は、ＡＳＫ変調波と等価である。但し、反射波伝送方式においては、ＡＳＫ変調以外に、ＰＳＫ、又はＦＳＫ変調方式を適用することも可能である（例えば、ＷＯ  ２００５／３６７６７号公報を参照のこと）。
【００６４】
バンド・パス・フィルタ（ＢＰＦ）５１２並びにＡＳＫ検波部５１３は、転送先からＡＳＫ変調された送達確認信号の受信時に用いるが、この２つのブロックは、伝送の送達確認を行なわない一方向の伝送であれば不要となる。一方、送達確認が行なわれる場合、その制御は、メモリ／通信制御部１１３で行なわれる。
【００６５】
また、図６には、無線通信インターフェースとして反射波伝送を適用した場合における外部機器１０３のハードウェア構成を示している。
【００６６】
外部機器１０３は、反射器からの反射波信号を読み取るための反射波読取器として構成される。無線機能付きメモリ・モジュール１０１からの画像データは反射波で伝送されるため、外部機器１０３からは反射波を作り出すための無変調のキャリアを送信する必要がある。この場合、受信部４０２は直交検波部５０４とＡＧＣアンプ５０５からなり、また、送信部４０３はミキサ５０８とパワー・アンプ５０７からなり、さらに周波数シンセサイザ５０９を備えている。ベースバンド制御部４０４と、ＪＰＥＧデコーダ４０５と、赤外線通信部４０６と、表示部４０７の構成並びに動作は上述と同様なので、ここでは説明を省略する。
【００６７】
送信部４０３から無変調キャリアを送信するためには、ベースバンド制御部４０４からミキサ５０８に対してある直流電圧を与えることにより実現される。送信する無変調キャリアの周波数は、ベースバンド制御部４０４から制御される周波数シンセサイザの周波数で決まる。本実施形態では、ＩＳＭと呼ばれる２．４ＧＨｚ帯を用いている。ミキサ５０８から出力される無変調キャリアは、パワー・アンプ５０７にて所定のレベルまで増幅され、サーキュレータ４０１経由でアンテナ１０４より送出される。
【００６８】
無線通信機能付きメモリ・モジュール１０１からの反射波は、外部機器１０３から送信される無変調キャリアの周波数と同じである。この反射波は、アンテナ１０４で受信され、サーキュレータ２０１経由で上述した受信部４０２に入力される。直交検波部５０４には、送信と同じローカル周波数が入力されるため、直交検波部５０４の出力には、無線部１１５で掛けられたＡＳＫ変調波が現れることになる。 但し、受信した信号はローカル信号と位相が異なるため、Ｉ軸信号とＱ軸信号には、その位相差に応じた変調信号が現われる。
【００６９】
ＡＧＣアンプ部５０５では、最適値にゲインを制御され、その出力信号はベースバンド制御部４０４に渡される。ベースバンド制御部４０４では、Ｉ軸及びＱ軸の各信号よりデジタル・データへの復調を行ない、正しいデータはＪＰＥＧでコーダ４０５により復号化される。その後、復号データは、例えばさらにアナログ・ビデオ信号に変換され、表示部４０７でビデオ出力される。
【００７０】
無線通信機能付きメモリ・モジュール１０１からのデータの送達確認を行なう場合、ベースバンド制御部４０４は、受信したパケット・データが正しければ肯定応答のＡＣＫ（Ａｃｋｎｏｗｌｅｄｇｅｍｅｎｔ）を、誤っていれば否定応答のＮＡＣＫ（Ｎｅｇａｔｉｖｅ Ａｃｋｎｏｗｌｅｄｇｅｍｅｎｔ）のデジタル・データをミキサ５０８に転送し、ＡＳＫ変調をかける。データの正誤は、画像データ・パケットに付加されたＣＲＣ（Ｃｙｃｌｉｃ Ｒｅｄｕｎｄａｎｃｙ Ｃｈｅｃｋ）符号で判断する。
【００７１】
図７には、図５に示した無線通信機能付きメモリ・モジュール１０１の無線部１１５と図６に示した外部機器１０３間で反射波伝送による無線データ通信を行なうための制御シーケンスを示している。但し、図示の例では、両装置間で送達確認を行なうことを想定する。以下、この制御シーケンスについて説明する。
【００７２】
まず、ユーザは、携帯電話１００の操作部１０７を用いて画像プレイバックモードに設定を行なう（２０１）。
【００７３】
次いで、携帯電話機１００では、装着されている無線機能付メモリ・メディア１０１をアクセスし、ブロック番号、ページ番号を指定しながら、目的の画像データを読み出して、表示部１０２に表示する（２０２）。ユーザは、転送したい画像が見つかるまで操作部１０７から同様の操作を繰り返す。
【００７４】
そして、ユーザの表示画像が確定すると（２０３）、ユーザは、操作部１０７より、画像出力装置１０３と赤外線通信を実行し（２０４）、目的の画像データのファイル名を画像出力装置１０３に転送する。
【００７５】
画像出力装置１０３は、表示する画像データ・ファイルのファイル名を受信すると、アンテナ１０４、無線通信機能付メモリ・メディア１０１のアンテナ１１１、無線部１１５、メモリ／通信制御部１１３を経由して、フラッシュ・メモリ１１４にアクセスし、当該ファイルの、ブロック番号、ページ番号を指定しながら、目的の画像データを読み出す（２０５）。
【００７６】
この結果、画像出力装置１０３は、読み出した画像データを表示することができる（２０６）。
【００７７】
このようにして、携帯電話機１００側からの操作により、表示したい画像をプッシュ型通信で画像出力装置１０３に転送することが可能となり、画像出力装置１０３で読み出すべきファイル名を指定する際の手間を省くことができる。
【００７８】
ユーザは、携帯電話機を操作するという簡単な作業だけで、目的の画像をテレビなどの画像出力装置に転送することが可能である。また、サイズの小さい画像は、携帯電話機から画像出力装置に直接送ることも可能であり、ユーザからは同一の方法により画像伝送することが可能である。
【００７９】
なお、携帯電話機と画像出力装置間では赤外線データ通信が可能であるが、その転送レートは低く（１１５．２Ｋｂｐｓ）、ファイル名などの文字情報の通信には十分であるものの、画像データの高速伝送に適用するには非現実的であることを理解されたい。
【産業上の利用可能性】
【００８０】
以上、特定の実施形態を参照しながら、本発明について詳解してきた。しかしながら、本発明の要旨を逸脱しない範囲で当業者が該実施形態の修正や代用を成し得ることは自明である。
【００８１】
本発明によれば、携帯電話機上で指示されるファイル名を赤外線通信により外部機器に通知することにより、外部機器は無線通信機能付きメモリ・モジュールから該当するファイルを無線通信により直接読み出すことができる。
【００８２】
本明細書では、外部機器とメモリ・モジュール間の無線通信インターフェースに反射波伝送を適用した実施形態を中心に説明してきたが、本発明の要旨は必ずしもこれに限定されない。例えば、ＩＥＥＥ８０２．１１に代表される無線ＬＡＮやＢｌｕｅｔｏｏｔｈ通信を用いて外部機器とメモリ・モジュールを接続する場合であっても、同様に本発明を適用することができる。
【００８３】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【００８４】
【図１】図１は、本発明の一実施形態に係る無線伝送システムの構成を模式的に示した図である。
【図２】図２は、無線通信機能付きメモリ・メディア１０１の内部構成を示した図である。
【図３】図３は、携帯電話機１００の内部構成を示した図である。
【図４】図４は、図２に示した無線通信機能付きメモリ・メディア１０１から無線通信によりデータを受信する外部機器１０３の構成を示した図である。
【図５】図５は、反射器として構成される、無線通信機能付きメモリ・メディア１１０側の無線部１１５の構成を示した図である。
【図６】図６は、無線通信インターフェースとして反射波伝送を適用した場合における外部機器１０３のハードウェア構成を示した図である。
【図７】図７は、図５に示した無線通信機能付きメモリ・モジュール１０１の無線部１１５と図６に示した外部機器１０３間で反射波伝送による無線データ通信を行なうための制御シーケンスを示した図である。
【符号の説明】
【００８５】
１００…ホスト機器（携帯電話機）
１０１…無線通信機能付きメモリ・メディア
１０３…外部機器（画像出力装置）
１０４…アンテナ
１０５、１０６…赤外線通信部
１１１…アンテナ
１１２…コネクタ部
１１３…メモリ／通信制御部
１１４…フラッシュ・メモリ
１１５…無線部
３００…アプリケーション・プロセッサ
３０１…バス
３０２…無線通信部
３０３…アンテナ
３０４…メモリ・カード・インターフェース
３０５…カメラ部
４０１…サーキュレータ
４０２…受信部
４０３…送信部
４０４…ベースバンド制御部
４０５…ＪＰＥＧデコーダ
４０６…赤外線通信部
４０７…表示部
５０４…直交検波部
５０５…ＡＧＣアンプ
５０７…パワー・アンプ
５０８…ミキサ
５０９…周波数シンセサイザ
５１０…アンテナ・スイッチ
５１１…アンテナ負荷
５１２…バンド・パス・フィルタ
５１３…ＡＳＫ検波部
【図１】
2007052559.tif 000003
【図２】
2007052559.tif 000004
【図３】
2007052559.tif 000005
【図４】
2007052559.tif 000006
【図５】
2007052559.tif 000007
【図６】
2007052559.tif 000008
【図７】
2007052559.tif 000009